(57)【要約】【課題】  排気用開口および関連品取付孔を有する製品外装カバーにおいて、多くの孔を形成する必要をなくしてデザイン上およびコスト上からも良好としながら、製品を設置するとき壁面との間にスペースを確保可能とする。【解決手段】  画像形成装置等の製品内の空気を排気ファン等で排出する、ルーバー等を取り付けてなる排気用開口６２を有するとともに、製品に、フィニッシャなどの周辺機器や、説明書を入れるマニュアルポケットなどの関連品を取り付けるための関連品取付孔を有する製品外装カバー６０である。そのような製品外装カバーにおいて、関連品に代えて関連品取付孔に、表面である外装面から突出する複数の突出部材６６を着脱自在に取り付ける。【選択図】      図４
2006243263.tif 000002
【特許請求の範囲】
【請求項１】
製品内の空気を排出する排気用開口を有するとともに、製品に関連品を取り付けるための関連品取付孔を有する製品外装カバーにおいて、
前記関連品に代えて前記関連品取付孔に、外装面から突出する突出部材を着脱自在に取り付けることを特徴とする、製品外装カバー。
【請求項２】
前記突出部材として、リベット本体に対してピンを抜き差しすることにより前記関連品取付孔に対して着脱自在とするリベットを使用することを特徴とする、請求項１に記載の製品外装カバー。
【請求項３】
前記ピンの頭部に、前記リベットを取り外すときにドライバを入れるドライバ穴を有することを特徴とする、請求項２に記載の製品外装カバー。
【請求項４】
前記外装面に前記突出部材を複数取り付けることを特徴とする、請求項１ないし３のいずれか１に記載の製品外装カバー。
【請求項５】
請求項１ないし４のいずれか１に記載の製品外装カバーを備えることを特徴とする、製品。
【請求項６】
請求項１ないし４のいずれか１に記載の製品外装カバーを備えることを特徴とする、画像形成装置。
【発明の詳細な説明】
【技術分野】
【０００１】
この発明は、画像形成装置、家電製品、家電製品以外の暖房製品などの製品に関する。および、複写機、プリンタ、ファクシミリまたはそれらの複合機などの画像形成装置に関する。および、その画像形成装置を含む前記製品において、製品本体の周囲を被う製品外装カバーに関する。
【背景技術】
【０００２】
例えば、電子写真式の画像形成装置では、感光体まわりに帯電手段、露光手段、現像手段、転写手段、クリーニング手段、除電手段などを配置する一方、感光体と転写手段間の転写位置を通して、用紙やＯＨＰフィルム等の記録媒体を搬送する媒体搬送路を設け、その媒体搬送路において転写位置の上流位置にレジストローラ対を、下流位置に定着手段を備えている。
【０００３】
そして、感光体の回転とともに、帯電、光書込みを行い感光体表面に静電潜像を形成して後、現像手段でトナーを付着してその静電潜像を可視像化し、感光体上にトナー画像を形成する一方、記録媒体を繰り出し、前記感光体上のトナー画像にタイミングを合わせてレジストローラ対により記録媒体を送り込み、転写位置でトナー画像を記録媒体上に転写してその転写画像を定着し、画像形成装置本体外に排出して例えば排紙トレイ上にスタックしていた。
【０００４】
このような画像形成装置の中には、帯電手段、転写手段、除電手段などに非接触のチャ−ジャタイプのものを使用するものがある。このようなタイプのものでは、放電によりオゾンを発生してそのオゾンが感光体の劣化を早めるなどの問題があった。また、画像形成装置の中には、定着手段に、熱と圧力とを加えて定着を行うタイプのものを使用するものがある。このようなタイプのものでは、画像形成装置本体内の温度上昇により、トナーが固化するなどの問題があるばかりか、安全面でも問題があった。
【０００５】
そこで、従来の画像形成装置では、画像形成装置本体内に排気ファンを備え、オゾンや熱をダクトを通して画像形成装置本体外に排出していた。一般に、このような画像形成装置では、外観を良好に保持するため、画像形成装置本体の周囲を外装カバーで被っている。よって、外装カバーには、排気用開口を設け、指を入れたりしないように、また排気案内用としてその開口をルーバー等で塞いでいた。
【０００６】
ところが、この種の画像形成装置を据え付けるとき、設置占有面積を小さくするため壁面にあまりに近接して設置すると、排気用開口を壁面で塞いで排気効果を発揮し得ないこととなる。このため、画像形成装置の外形形状を工夫し、壁面に近接して設置しても、排気用開口を塞がないように配慮することもできるが、そのようにすると、画像形成装置が外観デザイン上の制約を受けることとなる。
【０００７】
従来の画像形成装置の中には、例えば特許文献１に記載されるように、排気用開口を有する外装面に突出部材を取り付け、製品を設置するとき、その突出部材で壁面との間のスペースを確保し、排気用開口を壁面で塞がないようにするものもある。
【０００８】
【特許文献１】特開平１１-０３８８６０号公報
【特許文献２】特開２００２-１８１４２２号公報
【発明の開示】
【発明が解決しようとする課題】
【０００９】
しかしながら、上述したような画像形成装置では、一般に、フィニッシャなどの周辺機器や、説明書を入れるマニュアルポケットなどの関連品を外付けするものが多い。故に、特許文献１に記載される従来の画像形成装置にあっては、外装カバーに、画像形成装置本体に関連品を取り付けるための関連品取付孔とともに、突出部材を取り付けるための取付孔を必要とし、デザイン上からも、コスト上からも、好ましくなかった。
【００１０】
また、排気用開口を塞がないように配慮して画像形成装置本体に関連品を取り付けるときには、その関連品で壁面とのスペースを確保できるので、通常の場合は、関連品とともに突出部材を取り付ける必要がなく、突出部材を取り付けるための取付孔は不要なものであった。
【００１１】
そこで、この発明の第１の目的は、上述したような画像形成装置などの製品で用い、排気用開口を有するとともに、関連品取付孔を有する製品外装カバーにおいて、多くの孔を形成する必要をなくしてデザイン上およびコスト上からも良好としながら、製品を設置するとき壁面との間にスペースを確保可能とすることにある。
【００１２】
この発明の第２の目的は、同様な製品外装カバーにおいて、製品を設置するとき壁面との間にスペースを確保する突出部材の取り付けを簡単とすることにある。
【００１３】
この発明の第３の目的は、同様な製品外装カバーにおいて、製品を設置するとき壁面との間にスペースを確保する突出部材の取り外しを簡単とすることにある。
【００１４】
この発明の第４の目的は、同様な製品外装カバーにおいて、製品を設置するとき壁面との間にスペースを有効に確保可能とすることにある。
【００１５】
この発明の第５の目的は、上述した目的を有する製品外装カバーを備えた製品を提供することにある。
【００１６】
この発明の第６の目的は、上述した目的を有する製品外装カバーを備えた画像形成装置を提供することにある。
【課題を解決するための手段】
【００１７】
請求項１に記載の発明は、画像形成装置等の製品内の空気を排気ファン等で排出する、ルーバー等を取り付けてなる排気用開口を有するとともに、製品に、フィニッシャなどの周辺機器や、説明書を入れるマニュアルポケットなどの関連品を取り付けるための関連品取付孔を有する製品外装カバーである。そのような製品外装カバーにおいて、上述した第１の目的を達成すべく、前記関連品に代えて前記関連品取付孔に、表面である外装面から突出する、頭付きのリベットやねじなどの突出部材を着脱自在に取り付けるものである。
【００１８】
そして、画像形成装置等の製品の設置時には、外装面に取り付けた突出部材で周囲の壁面との間にスペースを確保する。
【００１９】
請求項２に記載の発明は、上述した第２の目的も達成すべく、請求項１に記載の製品外装カバーにおいて、前記突出部材として、リベット本体に対してピンを抜き差しすることにより前記関連品取付孔に対して着脱自在とするリベットを使用するものである。
【００２０】
そして、関連品取付孔に突出部材を取り付けるときには、突出部材であるリベットを関連品取付孔に入れてピンを手で押し込むことにより掛け止めし、関連品取付孔に対してリベットを抜け止めする。
【００２１】
請求項３に記載の発明は、上述した第３の目的も達成すべく、請求項２に記載の製品外装カバーにおいて、前記ピンの頭部に、前記リベットを取り外すときにドライバを入れる十字穴等のドライバ穴を有するものである。
【００２２】
そして、関連品取付孔から突出部材を取り外すときには、ピンの頭部に有するドライバ穴にドライバの先を入れて回すことにより掛け止めを解除し、ピンを抜き取って関連品取付孔からリベットを外す。
【００２３】
請求項４に記載の発明は、上述した第４の目的も達成すべく、請求項１ないし３のいずれか１に記載の製品外装カバーにおいて、前記外装面に前記突出部材を複数取り付けるものである。
【００２４】
そして、画像形成装置等の製品の設置時には、外装面に取り付けた複数の突出部材で壁面に対して傾くことなくスペースを確保する。
【００２５】
請求項５に記載の発明は、上述した第５の目的を達成すべく、請求項１ないし４のいずれか１に記載の製品外装カバーを備える、画像形成装置、家電製品、家電製品以外の暖房製品などの製品である。家電製品としては、排気用開口が塞がれることにより危険がある電気湯沸しポット、電気ストーブなどをあげることができる。家電製品以外の暖房製品としては、同じく排気用開口が塞がれることにより危険がある石油ストーブ、ファンヒーターなどをあげることができる。
【００２６】
そして、製品の設置時には、製品外装カバーの外装面に取り付けた突出部材で壁面との間にスペースを確保する。
【００２７】
請求項６に記載の発明は、上述した第６の目的を達成すべく、請求項１ないし４のいずれか１に記載の製品外装カバーを備える、複写機、プリンタ、ファクシミリ、またはそれらの複合機などの画像形成装置である。
【００２８】
そして、画像形成装置の設置時には、製品外装カバーの外装面に取り付けた突出部材で壁面との間にスペースを確保する。
【発明の効果】
【００２９】
請求項１に記載の発明によれば、排気用開口を有するとともに、関連品取付孔を有する製品外装カバーにおいて、関連品に代えて関連品取付孔に、外装面から突出する突出部材を着脱自在に取り付けるので、突出部材を取り付ける専用の取付孔をなくし、形成する取付孔の個数を減らしてデザインの向上を図るとともに、コストの低減を図ることもできる。同時に、画像形成装置等の製品の設置時には、外装面に取り付けた突出部材で壁面との間にスペースを確保するので、製品を設置するとき壁面との間にスペースを確保して排気用開口が塞がれることを防止することができる。
【００３０】
請求項２に記載の発明によれば、同様な製品外装カバーにおいて、請求項１に記載の発明の効果に加えて、関連品取付孔に突出部材を取り付けるときには、突出部材であるリベットを関連品取付孔に入れてピンを手で押し込むだけでよく、突出部材として頭付きねじなどを用いることもできるが、適当なリベットを用いると、ユーザーやサービスマンが突出部材を手で簡単に取り付けることができる。
【００３１】
請求項３に記載の発明によれば、同様な製品外装カバーにおいて、請求項２に記載の発明の効果に加えて、関連品取付孔から突出部材を取り外すときには、ピンの頭部に有するドライバ穴にドライバの先を入れて回し、ピンを抜き取るだけでよく、外装カバーの取り外しやオプションの取り付け時に通常用いるドライバを使用して、ユーザーやサービスマンがあらためて余分な工具を用いることなく一連の作業で容易に突出部材を取り外すことができる。
【００３２】
請求項４に記載の発明によれば、同様な製品外装カバーにおいて、請求項１ないし３に記載の発明の効果に加えて、画像形成装置等の製品の設置時には、外装面に取り付けた複数の突出部材で壁面との間にスペースを確保するので、壁面に対して製品を傾けて設置することにより排気用開口が塞がれることを防ぎ、製品を設置するとき壁面との間にスペースを有効に確保可能とすることができる。
【００３３】
請求項５に記載の発明によれば、画像形成装置、家電製品、家電製品以外の暖房製品などの製品において、請求項１ないし４のいずれか１に記載の製品外装カバーを備え、製品の設置時には、製品外装カバーの外装面に取り付けた突出部材で壁面との間にスペースを確保するので、上述した効果を有する製品外装カバーを備えた製品を提供することができる。
【００３４】
請求項６に記載の発明によれば、複写機、プリンタ、ファクシミリ、またはそれらの複合機などの画像形成装置において、請求項１ないし４のいずれか１に記載の製品外装カバーを備え、製品の設置時には、製品外装カバーの外装面に取り付けた突出部材で壁面との間にスペースを確保するので、上述した効果を有する製品外装カバーを備えた画像形成装置を提供することができる。
【発明を実施するための最良の形態】
【００３５】
以下、図面を参照しつつ、この発明の実施の最良形態につき説明する。
図１には、画像形成装置の一例である電子写真式カラー複写機の外観を左上から見て示す。
【００３６】
図示カラー複写機は、複写機本体（画像形成装置本体）１０の周囲を製品外装カバーで覆ってなる。複写機本体１０には、画像を形成して記録媒体に転写する画像形成部１１０、その下の、記録媒体を収納して順次画像形成部１１０に向けて搬送する媒体収納部１１１、記録済みの記録媒体を排出する胴内排紙部１１２、記録済みの記録媒体の裏面にも記録を行なうときに反転して画像形成部１１０に再給紙する両面装置１１３、原稿画像を読み取る画像読取部１１４、表示パネルや操作釦を有する操作表示部１１５などを備える。
【００３７】
図２には、上述した図１に示すカラー複写機の複写機本体１０の内部概略構成を示す。
図示するとおり、画像形成部１１０に、４つの作像装置Ａ・Ｂ・Ｃ・Ｄ、一次像担持装置Ｅ、二次像担持装置Ｆ、媒体搬送装置Ｇ、定着装置Ｈ、トナー補給装置Ｊなどを備えている。同様に、図中符号１１１は媒体収納部、１１２は胴内排紙部、１１３は両面装置、１１４は画像読取部である。
【００３８】
４つの作像装置Ａ・Ｂ・Ｃ・Ｄは、それぞれイエロ・マゼンタ・シアン・ブラックの各色のトナーを用いて異なる単色画像を形成するものであり、それぞれ回転可能に支持するドラム状の作像担持体１２をタンデム式に並べて備え、それら各作像担持体１２のまわりに、帯電手段１３、現像手段１４、作像転写手段１５、作像クリーニング手段１６、作像除電手段１７を配置している。そして、それらの作像装置Ａ・Ｂ・Ｃ・Ｄの下には、個々の作像担持体１２上を各別に露光する共通の露光手段１８を設けている。
【００３９】
露光手段１８は、不図示の光源からの光を不図示の光学部品で作像担持体１２の表面に向けて照射し、その作像担持体１２の表面を走査してそれに書込みを行うものである。
【００４０】
一次像担持装置Ｅは、各作像装置Ａ・Ｂ・Ｃ・Ｄで形成した画像をそれぞれ転写して担持するものであり、ベルト状の一次像担持体２０を、各作像担持体１２に接触して、各作像担持体１２とそれに対応する各作像転写手段１５との間を通して３つの一次ローラ２１・２２・２３に掛けまわし、まわりに一次クリーニング手段２４、一次転写手段２５を配置している。
【００４１】
二次像担持装置Ｆは、一次像担持装置Ｅで担持する画像を一次転写して担持するものであり、ベルト状の二次像担持体３０を、一次像担持体２０に接触してそれとの間で所定の転写ニップを形成し、その一次像担持体２０と一次転写手段２５との間を通して３つの二次ローラ３２・３３・３４に掛けまわし、まわりに二次クリーニング手段３５、二次転写手段３６を配置している。
【００４２】
媒体搬送装置Ｇは、一次像担持装置Ｅと二次像担持装置Ｆ間を通過して図中下方から上方へとのびる媒体搬送路を通して記録媒体Ｐを搬送するものであり、上下二段に備えて各々に記録媒体Ｐを収納する媒体収納容器４０と、その各媒体収納容器４０から各々記録媒体Ｐを順次上から一枚ずつ送り出す供給ローラ４１と、それら送り出した記録媒体Ｐを案内する媒体ガイド４２と、その媒体ガイド４２で案内して搬送する記録媒体Ｐの先端を突き当てて止めるレジストローラ４３と、画像定着後の記録媒体Ｐを案内する排出ガイド４４と、その排出ガイド４４で案内して搬送する記録媒体Ｐを胴内排紙部１１２に向けて矢印ａ方向に排出する２対の排出ローラ４５などを備えている。
【００４３】
定着装置Ｈは、一次像担持装置Ｅおよび二次像担持装置Ｆから記録媒体Ｐに転写した転写画像を定着するものであり、一対の加熱ローラ４７を備えている。また、トナー補給装置Ｊは、各作像装置Ａ・Ｂ・Ｃ・Ｄに粉体ポンプ等を用いて新規トナーを補給するものであり、トナー収納部５２内に各色のトナーカートリッジ５３を備えている。
【００４４】
そして、このカラー複写機で、記録媒体Ｐの表裏両面にカラー画像を形成するときは、画像読取り部１１４の上に設ける不図示の自動原稿搬送装置（ＡＤＦ）に原稿をセットし、操作表示部１１５にあるスタートスイッチを押す。すると、ＡＤＦで画像読取部１１４のコンタクトガラス上に順次原稿を送り出して画像読取り部１１４で逐次原稿画像を読み取るとともに、作像担持体１２、一次ローラ２１・２２・２３の一つ、二次ローラ３２・３３・３４の一つ、供給ローラ４１などが、それぞれタイミングを取って回転する。
【００４５】
各作像装置Ａ・Ｂ・Ｃ・Ｄでは、個々の作像担持体１２が図中時計まわりに回転するのにともない、それぞれ各帯電手段１３で表面を一様に帯電し、原稿読取り信号に基づき共通の露光手段１８からの個別の書込み光で書込みを行って色別の潜像を形成し、各現像手段１４で各色のトナーを付着して個々の作像担持体１２上にそれぞれ色別のトナー画像を形成する。
【００４６】
一次像担持装置Ｅでは、一次ローラ２１・２２・２３の１つのローラを回転するとともに他の２つのローラを従動回転し、一次像担持体２０を作像担持体１２に同期して図中反時計まわりに回転搬送し、その一次像担持体２０に、各作像転写手段１５にバイアス電圧を印加してそれぞれ作像担持体１２上のトナー画像を順次転写し、４色重ね合わせた第１のフルカラー画像を形成する。
【００４７】
画像転写後、各作像装置Ａ・Ｂ・Ｃ・Ｄの作像担持体１２は、それぞれ残留トナーを作像クリーニング手段１６で除去し、作像除電手段１７で除電する。その後、再び各帯電手段１３で帯電して別の原稿読取り信号に基づき露光手段１８で書込みを行い、各現像手段１４で現像して個々の作像担持体１２上にそれぞれ再度色別のトナー画像を形成する。
【００４８】
二次像担持装置Ｆでは、二次ローラ３２・３３・３４の１つのローラを回転するとともに他のローラを従動回転し、二次像担持体３０を一次像担持体２０に同期して図中時計まわりに回転搬送し、その二次像担持体３０に、一次転写手段２５にバイアス電圧を印加して一次像担持体２０上の画像を転写する。このとき、二次クリーニング手段３５は、支軸５６を中心として回動して二次像担持体３０から離れた、非クリーニング状態にある。
【００４９】
画像転写後、一次像担持装置Ｅの一次像担持体２０は、残留トナーを一次クリーニング手段２４で静電的に除去する。その後、再びその一次像担持体２０上に各作像転写手段１５でそれぞれ作像担持体１２上の次の画像を順次転写し、４色重ね合わせた第２のフルカラー画像を形成する。
【００５０】
画像転写後、各作像装置Ａ・Ｂ・Ｃ・Ｄの作像担持体１２は、それぞれ残留トナーを作像クリーニング手段１６で除去し、作像除電手段１７で除電して次の作像サイクルに備える。
【００５１】
一方、媒体搬送装置Ｇでは、適宜選択的に供給ローラ４１の１つを回転して媒体収納容器４０内の記録媒体Ｐを送り出し、媒体ガイド４２で案内して先端をレジストローラ４３間に突き当てて止め、上述した第１のフルカラー画像および第２のフルカラー画像にタイミングを合わせてレジストローラ４３を回転し、一次像担持体２０と二次像担持体３０間の転写ニップに送り込む。
【００５２】
そして、まず、転写ニップにて記録媒体Ｐの裏面側の一次転写手段２５にバイアス電圧を印加して、一次像担持体２０上の第２のフルカラー画像を記録媒体Ｐの表面に転写し、次いで記録媒体Ｐを若干上方へと搬送したところで表面側の二次転写手段３６にバイアス電圧を印加して、二次像担持体３０上の第１のフルカラー画像を記録媒体Ｐの裏面に転写する。その後、表裏両面に画像転写後の記録媒体Ｐを定着装置Ｈへと導き、一対の加熱ローラ４７を通して熱と圧力とを加えて両面の転写画像を定着し、排出ガイド４４で案内して不図示の切換爪で適宜振り分け、一方の排出ローラ対４５で外装カバー１０の外に排出し、胴内排紙部１１２のスタック部５０上に表面を下にしてフェイスダウンでスタックする。
【００５３】
画像転写後、一次像担持装置Ｅの一次像担持体２０は、残留トナーを一次クリーニング手段２４で除去する。また、二次像担持装置Ｆの二次像担持体３０は、予め、二次クリーニング手段３５を支軸５６を中心として回動して二次像担持体３０に接触させてクリーニング状態とし、その二次クリーニング手段３５で残留トナーを除去し、それぞれ次の画像担持に備える。
【００５４】
使用により、各現像手段１４のトナーがなくなったときには、トナー補給装置Ｊのトナー収納部５２の、対応するトナーカートリッジ５３から粉体ポンプ等で搬送して同色のトナーを補給する。また、ジャムにより記録媒体Ｐの搬送が妨げられたときには、両面装置１１３を支軸５５を中心として矢印ｄ方向に開き、媒体搬送路を開放してジャム処理を行う。
【００５５】
このカラー複写機で、記録媒体Ｐの片面にフルカラー画像を形成するときは、作像装置Ａ・Ｂ・Ｃ・Ｄの各作像担持体１２上に形成した画像を一次像担持装置Ｅの一次像担持体２０に転写して後、その画像を二次像担持装置Ｆの二次像担持体３０に転写することなく、媒体搬送装置Ｇで搬送する記録媒体Ｐの片面に順次直接転写するようにする。そして、定着装置Ｈで転写画像を定着し、胴内排紙部１１２のスタック部５０上にフェイスダウンで頁順に揃えて排出する。
【００５６】
また、図示カラー複写機で、記録媒体Ｐに二色画像やモノクロ画像を形成するときは、４つの作像装置Ａ・Ｂ・Ｃ・Ｄのうちの対応する色の作像装置を用いて画像を形成し、その画像を一次像担持装置Ｅの一次像担持体２０や二次像担持装置Ｆの二次像担持体３０を介して記録媒体Ｐに転写する。
【００５７】
図３には、上述した複写機本体１０の左側面を構成する製品外装カバー６０を示す。
製品外装カバー６０には、下方前後に、凹所を設けて運搬用の掘り込み式取手６１を形成する。また、それらの掘り込み式取手６１の上には、前後に矩形の排気用開口６２ａを設ける。および、後ろ側の上下にも、多少小さな矩形の排気用開口６２ｂを設ける。排気用開口６２は、複写機本体１０内の空気を複写機本体１０内の不図示の排気ファン等で例えばダクトを通して排出するものである。それらの２つの排気用開口６２ａには１つのルーバー６３ａを、２つの排気用開口６２ｂには各々個別のルーバー６３ｂをそれぞれ取り付け、開口６２（６２ａ、６２ｂ）内に指を入れたりしないように、また排気を所定の方向に定める。
【００５８】
さらに、製品外装カバー６０には、掘り込み式取手６１間の前後に１つずつ、第１の関連品取付孔６４をあける。また、上方の前後に２つずつ、第２の関連品取付孔６５をあける。第１の関連品取付孔６４は、必要に応じて、複写機に関連品であるマニュアルポケットを取り付けるためのものである。マニュアルポケットとは、複写機の説明書などを入れるものである。他方、第２の関連品取付孔６５は、必要に応じて、複写機に関連品であるフィニッシャを取り付けるためのものである。
【００５９】
いま、第１の関連品取付孔６４および第２の関連品取付孔６５に、マニュアルポケットやフィニッシャなどの関連品を取り付けないときは、複写機を壁面に近接して設置すると、周囲の壁面で排気用開口６２を塞ぐおそれがある。そこで、この場合には、２つの第１の関連品取付孔６４に、関連品であるマニュアルポケットに代えて、図４および図５に示すようにそれぞれ突出部材６６を着脱自在に取り付ける。
【００６０】
図４および図５には、製品外装カバー６０に突出部材６６を取り付けた状態を示す。図６には、突出部材６６として用いるリベットの斜視図を示す。図７（Ａ）には突出部材６６の取り外し状態の頂面図、（Ｂ）にはその側面図を示す。
【００６１】
突出部材６６は、図示するとおり、頭部を有するリベット本体６７と、同じく頭部を有しその中心を貫通するピン６８とで構成する。ピン６８の頭部頂面には、突出部材６６を取り外すときにドライバを入れるドライバ穴として十字穴７０を設ける。そして、リベット本体６７に対してピン６８を抜き差しすることにより第１の関連品取付孔６４に対して着脱自在とする。
【００６２】
すなわち、第１の関連品取付孔６４に突出部材６６を取り付けるときには、突出部材６６を第１の関連品取付孔６４に入れてピン６８を手で押し込み、取付孔６４の孔縁に掛け止めてリベットを抜けないようにする。このとき、突出部材６６の頭部は、図５に示すように、製品外装カバー６０の外装面からＡ寸法突出する。そして、図示カラー複写機を設置するときには、外装面に取り付けた２つの突出部材６６で壁面との間に、少なくともＡ寸法のスペースを確保する。
【００６３】
以上のとおり、関連品であるマニュアルポケットに代えて第１の関連品取付孔６４に、突出部材６６を着脱自在に取り付けるので、突出部材６６を取り付ける専用の取付孔をなくし、形成する取付孔の個数を減らしてデザインの向上を図るとともに、コストの低減を図ることもできる。同時に、カラー複写機の設置時には、外装面に取り付けた突出部材６６で壁面との間にスペースを確保するので、カラー複写機を設置するとき壁面との間にスペースを確保して排気用開口６２が塞がれることを防止することができる。
【００６４】
そして、図示カラー複写機では、第１の関連品取付孔６４に突出部材６６を取り付けるときには、突出部材６６であるリベットを第１の関連品取付孔６４に入れてピン６８を手で押し込むだけでよく、突出部材としてねじなどを用いることもできるが、上述したようなリベットを用いると、ユーザーやサービスマンが突出部材６６を手で簡単に取り付けることができる。
【００６５】
反対に、第１の関連品取付孔６４から突出部材６６を取り外すときには、ピン６８の頭部に有する十字穴７０にドライバの先を入れて回すことにより掛け止めを外し、ピン６８を抜き取って突出部材６６であるリベットを外す。つまり、第１の関連品取付孔６４から突出部材６６を取り外すときには、ピン６８の頭部に有する十字穴７０にドライバの先を入れてピン６８を回して抜き取るだけでよく、製品外装カバー６０の取り外しやオプションの取り付け時に通常用いるドライバを使用して、ユーザーやサービスマンがあらためて余分な工具を用いることなく一連の作業で容易に突出部材６６を取り外すことができる。
【００６６】
また、図示カラー複写機の設置時には、外装面に取り付けた前後２つの突出部材６６で壁面との間にスペースを確保するので、壁面に対してカラー複写機を傾けて設置することにより排気用開口６２が塞がれることを防ぎ、カラー複写機を設置するとき壁面との間にスペースを有効に確保可能とすることができる。
【図面の簡単な説明】
【００６７】
【図１】画像形成装置の一例である電子写真式カラー複写機の外観斜視図である。
【図２】図１に示すカラー複写機の複写機本体の内部概略構成図である。
【図３】その複写機本体の左側面を構成する製品外装カバーの斜視図である。
【図４】その製品外装カバーに突出部材を取り付けた状態の斜視図である。
【図５】その製品外装カバーに突出部材を取り付けた状態の正面図である。
【図６】その突出部材として用いるリベットの斜視図である。
【図７】その突出部材の取り外し状態の頂面図、（Ｂ）はその側面図である。
【符号の説明】
【００６８】
６０    製品外装カバー
６２、６２ａ、６２ｂ    排気用開口
６３、６３ａ、６３ｂ    ルーバー
６４    第１の関連品取付孔
６６    突出部材
６７    リベット本体
６８    ピン
７０    十字穴（ドライバ穴）
【図１】
2006243263.tif 000003
【図２】
2006243263.tif 000004
【図３】
2006243263.tif 000005
【図４】
2006243263.tif 000006
【図５】
2006243263.tif 000007
【図６】
2006243263.tif 000008
【図７】
2006243263.tif 000009